【手続補正書】
【提出日】平成18年2月28日(2006.2.28)
【手続補正１】
【補正対象書類名】明細書
【補正対象項目名】発明の名称
【補正方法】変更
【補正の内容】
【発明の名称】接点部材およびサーマルプロテクタ
【手続補正２】
【補正対象書類名】明細書
【補正対象項目名】特許請求の範囲
【補正方法】変更
【補正の内容】
【特許請求の範囲】
【請求項１】  ベース部材と、前記ベース部材上に設けられ接点を形成する表面を有する導電部と、前記導電部の接点を形成する表面の領域に露出するように埋込まれた複数の絶縁部とを備え、前記導電部の接点を形成する表面が前記絶縁部の表面よりも突出していることを特徴とする接点部材。
【請求項２】  前記導電部は、前記接点を形成する表面にそれぞれが所定の間隔を設けて互いに平行に形成された複数の溝を有し、前記絶縁部は前記溝に埋込まれている請求項１記載の接点部材。
【請求項３】  固定接点部材を有する固定電極と、
前記固定接点部材と接触するように設けられた可動接点部材を有する可動電極と、
所定の温度上昇に応じて前記可動接点部材が前記固定接点部材から離れる方向に向かって変位自在に設けられた熱応動部材とを備えたサーマルプロテクタにおいて、
前記固定接点部材または前記可動接点部材は、接点を形成する表面を有する導電部と、前記導電部の接点を形成する表面の領域に露出するように埋込まれた複数の絶縁部とを備え、前記導電部の接点を形成する表面が前記絶縁部の表面よりも突出していることを特徴とするサーマルプロテクタ。
【請求項４】  前記導電部は、それぞれが所定の間隔を空けて互いに平行に形成された複数の溝を有しており、
前記絶縁部は、前記溝に埋込まれている、請求項３記載のサーマルプロテクタ。
【請求項５】  各溝の幅は、約０．２ミリメートル（ｍｍ）以上約０．３ミリメートル（ｍｍ）以下になっており、各溝によって挟まれる前記導電部の幅は約０．５ミリメートル（ｍｍ）になっている、請求項４記載のサーマルプロテクタ。
【請求項６】  前記導電部の接点を形成する表面は平面であり、前記複数の溝は、前記平面に形成されている、請求項４記載のサーマルプロテクタ。
【請求項７】  前記導電部の接点を形成する表面は突状に湾曲する曲面であり、前記複数の溝は、前記曲面に形成されている、請求項４記載のサーマルプロテクタ。
【請求項８】  前記複数の溝は、前記固定電極の長手方向に沿って形成されている、請求項３記載のサーマルプロテクタ。
【請求項９】  前記複数の溝は、前記固定電極の長手方向に略垂直な方向に沿って形成されている、請求項３記載のサーマルプロテクタ。
【請求項１０】  前記ベース部材上に導電部を形成する工程と、
前記導電部の接点を形成する表面の領域に複数の溝を形成する工程と、
前記複数の溝を埋めるように絶縁部を形成する工程と、
前記導電部の接点を形成する表面が前記絶縁部の表面よりも突出するように前記絶縁部を研磨する工程とを備えた接点部材の製造方法。
【手続補正３】
【補正対象書類名】明細書
【補正対象項目名】０００１
【補正方法】変更
【補正の内容】
【０００１】
【発明の属する技術分野】
本発明は、各種電気機器、例えばモータまたは蛍光灯安定器等に用いられ、異常時の発熱および過電流等による電気機器の焼損防止のためのサーマルプロテクタで、特にフェールセーフタイプのサーマルプロテクタに用いるのに適した接点部材、その接点部材を用いたサーマルプロテクタ、およびその製造方法に関する。
【手続補正４】
【補正対象書類名】明細書
【補正対象項目名】００１１
【補正方法】変更
【補正の内容】
【００１１】
本発明の目的は、精度のよい接点部材、その接点部材を用いたサーマルプロテクタおよびその製造方法を提供することにある。
【手続補正５】
【補正対象書類名】明細書
【補正対象項目名】００１２
【補正方法】変更
【補正の内容】
【００１２】
【課題を解決するための手段】
本発明に係る接点部材は、ベース部材と、前記ベース部材上に設けられ接点を形成する表面を有する導電部と、前記導電部の接点を形成する表面の領域に露出するように埋込まれた複数の絶縁部とを備え、前記導電部の接点を形成する表面が前記絶縁部の表面よりも突出していることを特徴とする。
【手続補正６】
【補正対象書類名】明細書
【補正対象項目名】００１３
【補正方法】変更
【補正の内容】
【００１３】
本発明に係るサーマルプロテクタは、固定接点部材を有する固定電極と、前記固定接点部材と接触するように設けられた可動接点部材を有する可動電極と、所定の温度上昇に応じて前記可動接点部材が前記固定接点部材から離れる方向に向かって変位自在に設けられた熱応動部材とを備えたサーマルプロテクタにおいて、前記固定接点部材または前記可動接点部材は、接点を形成する表面を有する導電部と、前記導電部の接点を形成する表面の領域に露出するように埋込まれた複数の絶縁部とを備え、前記導電部の接点を形成する表面が前記絶縁部の表面よりも突出していることを特徴とする。
【手続補正７】
【補正対象書類名】明細書
【補正対象項目名】００１４
【補正方法】変更
【補正の内容】
【００１４】
本発明に係る接点部材の製造方法は、前記ベース部材上に導電部を形成する工程と、前記導電部の接点を形成する表面の領域に複数の溝を形成する工程と、前記複数の溝を埋めるように絶縁部を形成する工程と、前記導電部の接点を形成する表面が前記絶縁部の表面よりも突出するように前記絶縁部を研磨する工程とを備える。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
【発明の実施の形態】
本実施の形態に係るサーマルプロテクタは上記構成の接点部材を用いて構成され、導電部の接点を形成する表面が絶縁部の表面よりも突出している構造を有する。このため、接点部材に設けられた導電部が絶縁部から精度良く突出するように接点部材を製造することができる。その結果、可動接点部材との固定接点部材との間の繰り返し接触に応じて精度良く不導通となるサーマルプロテクタを得ることができる。
【手続補正１０】
【補正対象書類名】明細書
【補正対象項目名】００１７
【補正方法】変更
【補正の内容】
【００１７】
本発明の接点部材において、前記導電部は、前記接点を形成する表面にそれぞれが所定の間隔を設けて互いに平行に形成された複数の溝を有し、前記絶縁部は前記溝に埋込まれている構造が好ましい。
また本発明のサーマルプロテクタにおいて、前記導電部は、それぞれが所定の間隔を空けて互いに平行に形成された複数の溝を有しており、前記絶縁部は、前記溝に埋込まれていることが好ましい。
【手続補正１１】
【補正対象書類名】明細書
【補正対象項目名】００１９
【補正方法】変更
【補正の内容】
【００１９】
前記導電部の接点を形成する表面は平面であり、前記複数の溝は、前記平面に形成されていることが好ましい。平面であれば、複数の溝を容易に形成することができるからである。
【手続補正１２】
【補正対象書類名】明細書
【補正対象項目名】００２０
【補正方法】変更
【補正の内容】
【００２０】
前記導電部の接点を形成する表面は突状に湾曲する曲面であり、前記複数の溝は、前記曲面に形成されていることが好ましい。曲面であれば、可動接点部材との間の繰り返し接触による導電部の磨耗によって導電部から生じた粉が、絶縁部が形成された溝に溜まることがないからである。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】変更
【補正の内容】
【００２８】
本発明の接点部材の製造方法においては、絶縁部よりも導電部が突出するように、各溝を埋めるように形成された絶縁部を研磨する工程が設けられている。このため、導電部が絶縁部よりも精度良く突出するように加工することができる。その結果、可動接点部材との固定接点部材との間の繰り返し接触に応じて精度良く不導通となるサーマルプロテクタを得ることができる。